(57)【要約】  複数のボタンのうち少なくとも一部の操作された結果を認識し、その認識された結果に相応する複数の映像それぞれを、その映像ごとそれぞれにあらかじめ設定された技法によってそのボタンそれぞれにディスプレイする端末機及びそのためのディスプレイ方法であって、これにより、実行可能な機能の多い小型の端末機であっても、その端末機に一定の動作の実行を指示するためにボタンを操作するユーザーに対して操作便宜性を極大化する効果を持つ。
2010506288.tif 000002
【特許請求の範囲】
【請求項１】
複数の映像を制御信号に応答してディスプレイする複数のボタンと、
前記映像それぞれの前記映像ごとそれぞれにあらかじめ設定された技法によるディスプレイを指示する前記制御信号を、前記ボタンのうち少なくとも一部の操作された結果に相応して生成する制御部と、を備えることを特徴とする端末機。
【請求項２】
前記ボタンそれぞれは、前記映像それぞれを前記映像ごとそれぞれにあらかじめ設定された色でディスプレイすることを特徴とする請求項１に記載の端末機。
【請求項３】
前記映像それぞれのあらかじめ設定された色は、前記映像それぞれが表す前記端末機の機能によって決定されたことを特徴とする請求項２に記載の端末機。
【請求項４】
前記映像それぞれのあらかじめ設定された色は、一定期間中の前記映像それぞれの選択頻度数を考慮して決定されたことを特徴とする請求項２に記載の端末機。
【請求項５】
前記映像それぞれのあらかじめ設定された色は、前記映像それぞれが意味する数値によって決定されたことを特徴とする請求項２に記載の端末機。
【請求項６】
前記ボタンは、前記ボタンのうち操作されたボタンを識別させる前記映像をディスプレイすることを特徴とする請求項１に記載の端末機。
【請求項７】
前記ボタンは、前記ボタンのうち操作されたボタンにディスプレイされた映像を複数回点滅させることを特徴とする請求項６に記載の端末機。
【請求項８】
前記映像のうちあらかじめ設定されたポップアップ映像のうち一つが選択されれば、前記ボタンのうち少なくとも一部がディスプレイする映像は、前記ポップアップ映像に更新されることを特徴とする請求項１に記載の端末機。
【請求項９】
前記ボタンは、前記ポップアップ映像に更新されていない映像を前記ボタンに相対的に薄暗くディスプレイすることを特徴とする請求項８に記載の端末機。
【請求項１０】
前記映像は、選択される場合に前記端末機がスクロールを行うようになるスクロール映像、及び前記ボタンにディスプレイされる映像であって、前記スクロール映像が選択される度に更新される映像の数を意味するページ映像のうち少なくとも一つを含むことを特徴とする請求項１に記載の端末機。
【請求項１１】
前記映像は、選択される場合に前記端末機が動作する結果が相等しい複数の映像を含むことを特徴とする請求項１に記載の端末機。
【請求項１２】
前記ボタンのうち少なくとも一部は、前記操作された結果をディスプレイすることを特徴とする請求項１に記載の端末機。
【請求項１３】
複数のボタンを備えた端末機で行われるディスプレイ方法において、
前記ボタンのうち少なくとも一部の操作された結果を認識するステップと、
前記認識された結果に相応する複数の映像それぞれを、前記映像ごとそれぞれにあらかじめ設定された技法によって前記ボタンそれぞれにディスプレイするステップと、を含むことを特徴とするディスプレイ方法。
【請求項１４】
前記複数の映像をディスプレイするステップは、前記映像それぞれを、前記映像ごとそれぞれにあらかじめ設定された色で前記ボタンそれぞれにディスプレイすることを特徴とする請求項１３に記載のディスプレイ方法。
【請求項１５】
前記映像それぞれのあらかじめ設定された色は、前記映像それぞれが表す前記端末機の機能によって決定されたことを特徴とする請求項１４に記載のディスプレイ方法。
【請求項１６】
前記映像それぞれのあらかじめ設定された色は、一定期間中の前記映像それぞれの選択頻度数を考慮して決定されたことを特徴とする請求項１４に記載のディスプレイ方法。
【請求項１７】
前記映像それぞれのあらかじめ設定された色は、前記映像それぞれが意味する数値によって決定されたことを特徴とする請求項１４に記載のディスプレイ方法。
【請求項１８】
前記複数の映像をディスプレイするステップは、前記ボタンのうち操作されたボタンを識別させる前記映像を前記ボタンにディスプレイすることを特徴とする請求項１３に記載のディスプレイ方法。
【請求項１９】
前記複数の映像をディスプレイするステップは、前記ボタンのうち操作されたボタンにディスプレイされた映像を複数回点滅させることを特徴とする請求項１８に記載のディスプレイ方法。
【請求項２０】
前記映像のうちあらかじめ設定されたポップアップ映像中の一つが選択されれば、前記ボタンのうち少なくとも一部がディスプレイする映像は、前記ポップアップ映像に更新されることを特徴とする請求項１３に記載のディスプレイ方法。
【請求項２１】
前記ボタンは、前記ポップアップ映像に更新されていない映像を前記ボタンに相対的に薄暗くディスプレイすることを特徴とする請求項２０に記載のディスプレイ方法。
【請求項２２】
前記映像は、選択される場合に前記端末機がスクロールを行うようになるスクロール映像、及び前記ボタンにディスプレイされる映像であって、前記スクロール映像が選択される度に更新される映像の数を意味するページ映像のうち少なくとも一つを含むことを特徴とする請求項１３に記載のディスプレイ方法。
【請求項２３】
前記映像は、選択される場合に前記端末機が行うところが相等しい複数の映像を含むことを特徴とする請求項１３に記載のディスプレイ方法。
【請求項２４】
前記複数の映像をディスプレイするステップは、前記操作された結果を前記ボタンのうち少なくとも一部にディスプレイすることを特徴とする請求項１３に記載のディスプレイ方法。
【請求項２５】
請求項１３ないし請求項２４のうちいずれか１項に記載の方法をコンピュータで実行させるためのプログラムを保存したコンピュータ読み取り可能な記録媒体。
【発明の詳細な説明】
【技術分野】
【０００１】
本発明は、携帯用電話機のような端末機に係り、特に、複数のボタンを持つ端末機及びそのためのディスプレイ方法に関する。
【背景技術】
【０００２】
端末機に備えられたボタンそれぞれに複数の用途が付与された場合、ボタンそれぞれにはそのボタンそれぞれの用途を表す文字が表記されており、端末機に備えられたボタンのうちいずれかのボタンを操作しようとするユーザーは、そのボタンそれぞれに表記された文字を見て、そのいずれかのボタンを決定する。
【０００３】
一方、端末機の機能が多ければ多いほど、端末機に備えられたボタンそれぞれに付与される用途は多くなり、端末機が小さくなれば小さくなるほど端末機に備えられたボタンそれぞれの大きさも小さくなる。
【０００４】
したがって、さらに多様な機能を持つ小型端末機が市場で優位を占めている最近の実情下では、多くのユーザーが端末機の操作に不便さを感じることが生じるのは避けられない。これらの不便さは、端末機操作法に慣れていないユーザーには倍加される。
【０００５】
これにより、実行可能な機能の多い小型の端末機であっても、その端末機に一定の動作の実行を指示するためにボタンを操作するユーザーに対して、操作便宜性を極大化することが求められている。
【発明の概要】
【発明が解決しようとする課題】
【０００６】
本発明が解決しようとする技術的課題は、実行可能な機能の多い小型の端末機であっても、その端末機に一定の動作の実行を指示するためにボタンを操作するユーザーに対して操作便宜性を極大化させる端末機を提供するところにある。
【０００７】
本発明が解決しようとする他の技術的課題は、実行可能な機能の多い小型の端末機であっても、その端末機に一定の動作の実行を指示するためにボタンを操作するユーザーに対して操作便宜性を極大化させるディスプレイ方法を提供するところにある。
【０００８】
本発明が解決しようとするさらに他の技術的課題は、実行可能な機能の多い小型の端末機であっても、その端末機に一定の動作の実行を指示するためにボタンを操作するユーザーに対して操作便宜性を極大化させるコンピュータプログラムを保存する、コンピュータ読み取り可能な記録媒体を提供するところにある。
【課題を解決するための手段】
【０００９】
前記課題を解決するために、本発明による端末機は、複数の映像を制御信号に応答してディスプレイする複数のボタンと、前記映像それぞれの前記映像ごとそれぞれにあらかじめ設定された技法によるディスプレイを指示する前記制御信号を、前記ボタンのうち少なくとも一部の操作された結果に相応して生成する制御部と、を備えることが望ましい。
【００１０】
前記他の課題を解決するために、複数のボタンを備えた端末機で行われる本発明によるディスプレイ方法は、前記ボタンのうち少なくとも一部の操作された結果を認識するステップと、前記認識された結果に相応する複数の映像それぞれを、前記映像ごとそれぞれにあらかじめ設定された技法によって前記ボタンそれぞれにディスプレイするステップと、を含むことが望ましい。
【００１１】
前記他の課題を解決するために、本発明によるコンピュータ読み取り可能な記録媒体は、複数のボタンを備えた端末機で行われる本発明によるディスプレイ方法は、前記ボタンのうち少なくとも一部の操作された結果を認識するステップと、前記認識された結果に相応する複数の映像それぞれを、前記映像ごとそれぞれにあらかじめ設定された技法によって前記ボタンそれぞれにディスプレイするステップと、をコンピュータで実行させるためのプログラムを保存することが望ましい。
【発明の効果】
【００１２】
以上で説明したように、本発明による端末機及びそのためのディスプレイ方法は、複数のボタンのうち少なくとも一部の操作された結果を認識し、その認識された結果に相応する複数の映像それぞれを、その映像ごとそれぞれにあらかじめ設定された技法によってそのボタンそれぞれにディスプレイすることで、実行可能な機能の多い小型の端末機であっても、その端末機に一定の動作の実行を指示するためにボタンを操作するユーザーに対して操作便宜性を極大化する効果を持つ。
【００１３】
本発明と本発明の動作上の利点及び本発明の実施によって達成される目的を十分に理解するためには、本発明の望ましい実施形態を例示する添付図面及びその添付図面を説明する内容を参照せねばならない。
【図面の簡単な説明】
【００１４】
【図１】本発明による端末機を説明するためのブロック図である。
【図２】本発明による端末機の一例であるフォルダー型端末機の外観を示す図面である。
【図３】本発明による端末機を、図２に示した端末機を利用して説明するための参考図である。
【図４】本発明による端末機を、図２に示した端末機を利用して説明するための参考図である。
【図５】本発明による端末機を、図２に示した端末機を利用して説明するための参考図である。
【図６Ａ】本発明による端末機を、図２に示した端末機を利用して説明するための参考図である。
【図６Ｂ】本発明による端末機を、図２に示した端末機を利用して説明するための参考図である。
【図７Ａ】本発明による端末機を、図２に示した端末機を利用して説明するための参考図である。
【図７Ｂ】本発明による端末機を、図２に示した端末機を利用して説明するための参考図である。
【図８】本発明による端末機を、図２に示した端末機を利用して説明するための参考図である。
【図９】本発明による端末機を、図２に示した端末機を利用して説明するための参考図である。
【図１０】本発明による端末機を、図２に示した端末機を利用して説明するための参考図である。
【図１１】本発明によるディスプレイ方法を説明するためのフローチャートである。
【発明を実施するための形態】
【００１５】
図１は、本発明による端末機を説明するためのブロック図であって、複数のボタン１１０、制御部１２０、及び保存部１３０を備えることができる。
【００１６】
複数のボタン１１０は、図示されているようなＮ個のディスプレイボタン１１０−１、１１０−ｎ、…、１１０−Ｎ（ただし、ｎ、Ｎは１＜ｎ≦Ｎの整数）だけではなく、一つ以上の表示不可ボタン（図示せず）も備えることができる。ここで、ディスプレイボタン１１０−ｎは、表示機能を持つボタンを意味し、表示不可ボタン（図示せず）は、表示機能を持っていないボタンを意味する。一方、Ｎ個のディスプレイボタン１１０−１、…、１１０−ｎ、…、１１０−Ｎは、Ｎ個の領域に区切られた一つの画面として具現できる。
【００１７】
制御部１２０は、ボタンの操作された結果によって制御信号を生成する。ここで、ボタンは、ディスプレイボタン１１０−ｎでもあり、表示不可ボタン（図示せず）でもありうる。具体的には、制御信号は‘あらかじめ設けられた映像のうちボタンの操作された結果に相応するＮ個の映像それぞれが、Ｎ個のディスプレイボタン１１０−１、…、１１０−ｎ、…、１１０−Ｎそれぞれに、そのＮ個の映像ごとそれぞれにあらかじめ設定された技法によってディスプレイされることを指示する’信号を意味する。さらに具体的には、ｋ番目に生成された制御信号は‘Ｎ個のディスプレイボタン１１０−１、…、１１０−ｎ、…、１１０−Ｎにｋ−１番目にディスプレイされた映像’と‘複数のボタン１１０のうち少なくとも一部のｋ番目に操作された結果’とに相応して決定される。
【００１８】
前述した‘あらかじめ設けられた映像’は、保存部１３０にあらかじめ保存されているため、あらかじめ設けられている。保存部１３０は、本発明による端末機の内部に設けられてもよく、外部に設けられてもよい。これと異なって、複数のボタン１１０ないし制御部１２０は、本発明による端末機の内部に設けられることが望ましい。
【００１９】
結局、制御部１２０は、保存部１３０に保存された映像のうちボタンの操作された結果に相応する複数の映像を読み出し、読み出された映像をその読み出された映像ごとそれぞれにあらかじめ設定された技法によってディスプレイすることを、複数のボタン１１０に指示する。
【００２０】
図２は、本発明による端末機の一例であるフォルダー型端末機２１０の外観を示す図面である。具体的には、図２は、フォルダーが開かれた場合のフォルダー型端末機２１０の外観を示す図面である。
【００２１】
図２で、端末機２１０は、メイン表示部２２０と１２個のディスプレイボタン２３０ないし２５２と、複数の表示不可ボタン（メニューボタン、方向キー（上、下、左、右）、確認ボタン、通話ボタン、取消ボタン、終了ボタン）とを備える。
【００２２】
図３ないし図１０は、本発明による端末機を、図２に示した端末機２１０を利用して説明するための参考図である。
【００２３】
図３ないし図５を利用して本発明による端末機２１０を説明すれば、次の通りである。
【００２４】
図３ないし図５に示したように、ディスプレイボタン２３０ないし２５２それぞれにディスプレイされる映像ごとそれぞれにあらかじめ設定された技法は、そのディスプレイされる映像それぞれをいかなる色でディスプレイするかについて事前に設定されたものを意味する。ここで、色は、色相成分、明度成分、彩度成分を持つことができる。結局、図３ないし図５に示したように、ディスプレイボタン２３０ないし２５２のうち一つは、映像をその映像に対してあらかじめ設定された色でディスプレイする。本明細書で、映像とは、数字、文字、記号などの組み合わせで形成されたマーク及びそのマークの背景色を含む。
【００２５】
具体的には、図３に示したように、端末機２１０は音楽再生機能を実行中である。さらに具体的には、端末機２１０は、互いに再生順位が定められている複数の音楽ファイルそれぞれを再生でき、現在は‘玄ジンヨン’という歌手の‘Ｂｒｅａｋ ｍｅ ｄｏｗｎ’というタイトルの音楽ファイルを再生中である。
【００２６】
ユーザーがディスプレイボタン２３０を操作すれば、端末機２１０は、現在再生中の音楽ファイルの１つ前の音楽ファイルを再生し始め、ユーザーがディスプレイボタン２３２を操作すれば、端末機２１０は、端末機２１０が再生できるその複数の音楽ファイルのうち最前列の音楽ファイルを再生し始める。同様に、ユーザーがディスプレイボタン２４６を操作すれば、端末機２１０は、現在再生中の音楽ファイルの１つ次の音楽ファイルを再生し始め、ユーザーがディスプレイボタン２４８を操作すれば、端末機２１０は、端末機２１０が再生できるその複数の音楽ファイルのうち最後尾の音楽ファイルを再生し始める。一方、ユーザーがディスプレイボタン２３８を操作すれば、端末機２１０は、現在再生中の音楽ファイルの再生を停止し、ユーザーがディスプレイボタン２３４を操作すれば、端末機２１０は、端末機２１０が再生できるその複数の音楽ファイルのうち最後尾の音楽ファイルの再生を終了した場合、最前列の音楽ファイルを再生し始めるように設定される。
【００２７】
ユーザーがディスプレイボタン２４０を操作すれば、端末機２１０は、反復再生する区間の開始時点を認識し、ユーザーがディスプレイボタン２４０を再び操作すれば、端末機２１０は、その反復再生する区間の終了時点を認識した後、その反復再生する区間を一定回数ほど反復再生する。また、ユーザーがディスプレイボタン２５０を操作すれば、メイン表示部２２０は、メイン表示部２２０にディスプレイされる映像の候補をディスプレイし、ユーザーが端末機２１０を操作してその候補のうち一つを選択すれば、メイン表示部２２０はその選択された候補をディスプレイする。
【００２８】
図３に示したように、ディスプレイボタン２３０、２３２、２３４、２３８、２４６または２４８にディスプレイされた映像の背景色と、ディスプレイボタン２４０または２５０にディスプレイされた映像の背景色とは異なる。この時、ディスプレイボタン２３０、２３２、２３４、２３８、２４０、２４６、または２５０にディスプレイされた映像の背景色は、そのディスプレイボタンにディスプレイされた映像が表す機能によって決定された色でありうる。
【００２９】
具体的には、図３に示したように、ディスプレイボタン２３０、２３２、２３４、２３８、２４６または２４８にディスプレイされた映像が表す機能は、そのディスプレイボタンが操作さえされれば端末機２１０が行う機能である一方、ディスプレイボタン２４０または２５０にディスプレイされた映像が表す機能は、そのディスプレイボタンが操作されても一回以上の端末機２１０操作がさらにあって初めて端末機２１０が行う機能である。
【００３０】
さらに具体的には、ディスプレイボタン２３０にディスプレイされた映像が表す機能（＝端末機２１０が、自身が現在再生中の音楽ファイルの１つ前の音楽ファイルを再生し始める機能）は、そのディスプレイボタン２３０が操作さえされれば端末機２１０が行う機能であり、ディスプレイボタン２３２にディスプレイされた映像が表す機能（＝端末機２１０が、自身が再生できる複数の音楽ファイルのうち最前列の音楽ファイルを再生する機能）は、そのディスプレイボタン２３２が操作さえされれば端末機２１０が行う機能であり、ディスプレイボタン２４６にディスプレイされた映像が表す機能（＝端末機２１０が、自身が現在再生中の音楽ファイルの１つ次の音楽ファイルを再生し始める機能）は、そのディスプレイボタン２４６が操作さえされれば端末機２１０が行う機能であり、ディスプレイボタン２４８にディスプレイされた映像が表す機能（＝端末機２１０が、自身が再生できる複数の音楽ファイルのうち最後尾の音楽ファイルを再生する機能）は、そのディスプレイボタン２４８が操作さえされれば端末機２１０が行う機能であり、ディスプレイボタン２３８にディスプレイされた映像が表す機能（＝端末機２１０が、自身が現在再生中の音楽ファイルの再生を停止する機能）は、そのディスプレイボタン２３８が操作さえされれば端末機２１０が行う機能であり、ディスプレイボタン２３４にディスプレイされた映像が表す機能（＝端末機２１０が、自身が再生できるその複数の音楽ファイルのうち最後尾の音楽ファイルの再生を完了した場合、最前列の音楽ファイルを再生し始めるように設定される機能）は、そのディスプレイボタン２３４が操作さえされれば端末機２１０が行う機能である。
【００３１】
一方、ディスプレイボタン２４０にディスプレイされた映像が表す機能（＝端末機２１０が現在再生中の音楽ファイルのいずれか一定区間を一定回数ほど反復再生する機能）は、そのディスプレイボタン２４０が操作されても一回以上の端末機２１０の操作がさらにあった後で端末機２１０が行う機能である。すなわち、ディスプレイボタン２４０が初めて操作されれば、端末機２１０はその反復再生する区間の開始時点を認識し、ディスプレイボタン２４０が再び操作されれば、端末機２１０は、その反復再生する区間の終了時点を認識するが、この時になって初めて端末機２１０は、その反復再生する区間を一定回数ほど反復再生する。これと類似して、ディスプレイボタン２５０にディスプレイされた映像が表す機能（＝端末機２１０がメイン表示部２２０にディスプレイされる映像を複数の候補のうちユーザーの端末機２１０操作によって選択され、選択された映像をメイン表示部２１０にディスプレイする機能）も、そのディスプレイボタン２５０が操作されても、一回以上の端末機２１０操作がさらにあって初めて端末機２１０が行う機能である。すなわち、ディスプレイボタン２５０が初めて操作されれば、メイン表示部２２０は、メイン表示部２２０にディスプレイされる映像の候補をディスプレイした後、ユーザーが端末機２１０を操作してその候補のうち一つを選択すれば、この時になって初めて、メイン表示部２２０はその選択された候補をディスプレイする。
【００３２】
図４に示したように、端末機２１０は撮影機能を実行中である。さらに具体的には、メイン表示部２２０は、端末機２１０に備えられたカメラを通じて見られる端末機２１０の外部の映像をディスプレイし、ユーザーが端末機２１０に備えられたボタン（例えば、‘確認’ボタン）を操作すれば、端末機２１０は、その操作された瞬間にメイン表示部２２０にディスプレイされた映像を撮影する。
【００３３】
図４に示したように、ディスプレイボタン２３０は、撮影モードを新たに設定しようとするユーザーが操作するボタンであり、ディスプレイボタン２３２は、解像度を新たに設定しようとするユーザーが操作するボタンであり、ディスプレイボタン２３４は、測光方式を新たに設定しようとするユーザーが操作するボタンであり、ディスプレイボタン２３８は、撮影された映像が古ぼけた写真のように見える効果、いわゆるセピア効果を与えようとするユーザーが操作するボタンであり、ディスプレイボタン２４０は、メイン表示部２２０にディスプレイされた各種アイコンが隠されてディスプレイさせまいとするユーザーが操作するボタンであり、ディスプレイボタン２４２は、撮影された映像を額縁イメージで取り囲もうとするユーザーが操作するボタンであり、ディスプレイボタン２４６は、フラッシュをつけようとするユーザーが操作するボタンであり、ディスプレイボタン２４８は、セルフタイマー時間を調整しようとするユーザーが操作するボタンである。
【００３４】
図４に示したように、ディスプレイボタン２３０または２４６にディスプレイされた映像の背景色と、ディスプレイボタン２３２、２３８または２４２にディスプレイされた映像の背景色と、ディスプレイボタン２３４、２４０または２４８にディスプレイされた映像の背景色とは異なる。この時、ディスプレイボタン２３０、２３２、２３４、２３８、２４０、２４２、２４６または２４８にディスプレイされた映像の背景色は、そのディスプレイボタンにディスプレイされた映像の一定期間中の選択頻度数に鑑みて決定された色でありうる。
【００３５】
具体的には、図４に示したように、ユーザーは普段端末機２１０で写真を撮影する時、ディスプレイボタン２３２、２３８、２４２は撮影時ごとに操作し、ディスプレイボタン２３０または２４６は撮影時ごとに操作せずに時々操作するだけであり、ディスプレイボタン２３４、２４０、２４８は撮影時に一回も操作したことなく、これにより、ディスプレイボタン２３２、２３８、２４２それぞれにディスプレイされた映像の背景色の輝度と、ディスプレイボタン２３０または２４６にディスプレイされた映像の背景色の輝度と、ディスプレイボタン２３４、２４０、２４８それぞれにディスプレイされた映像の背景色の輝度とは異なる。
【００３６】
図５に示したように、ユーザーはメイン表示部２２０の輝度を調整しようとし、メイン表示部２２０は、輝度が可変的な電球映像をディスプレイし、ディスプレイボタン２３０、２３２、２３８、２４０、２４６は、相異なる輝度の５個の映像をディスプレイする。このように、ディスプレイボタン２３０、２３２、２３８、２４０、２４６にディスプレイされる映像それぞれの色は、その映像それぞれが意味する数値によってあらかじめ決定された色でありうる。これにより、ユーザーはメイン表示部２２０の輝度をいずれかのボタン（例えば、前記方向キーの右ボタン）を数回操作して調整する必要なく、ディスプレイボタン２３０、２３２、２３８、２４０、２４６のうち一つを１回操作することによって調整することができる。
【００３７】
図６Ａ及び図６Ｂを利用して本発明による端末機２１０を説明すれば、次の通りである。
【００３８】
図６Ａ及び図６Ｂに示したように、端末機２１０は撮影機能を実行中である。さらに具体的には、メイン表示部２２０は、端末機２１０に備えられたカメラを通じて見られる端末機２１０外部の映像をディスプレイし、ユーザーが端末機２１０に備えられたボタン（例えば、‘確認’ボタン）を操作すれば、端末機２１０は、その操作された瞬間にメイン表示部２２０にディスプレイされた映像を撮影する。
【００３９】
図６Ａ及び図６Ｂに示したように、ディスプレイボタン２３０、２３２、２３４、２３８、２４０、２４２、２４６または２４８にディスプレイされた映像は、そのディスプレイボタンが操作されれば、メイン表示部２２０に参照符号６１０のようにディスプレイされ、次いで、端末機２１０がメイン表示部２２０にディスプレイ中の映像を撮影すれば、その操作されたディスプレイボタンにディスプレイされた映像を持つ写真が生成される。一方、写真の一部として含まれうる映像の数は９個に限定されず、写真の一部として含まれうる該映像が９個より多いならば、ユーザーはディスプレイボタン２３６または２５２を操作することによって、写真の一部として含まれうる該映像をスクロールできる。
【００４０】
図６Ｂに示したように、図６Ａに示したディスプレイボタンのうちディスプレイボタン２３０、２４２、２４８が操作され、操作されたディスプレイボタン２３０、２４２、２４８はそれ自身を他のディスプレイボタン２３２、２３４、２３６、２３８、２４０、２４４、２４６、２５０、２５２と区別させる映像をディスプレイする。例えば、その操作されたディスプレイボタン２３０、２４２、２４８にディスプレイされた映像は周期的に点滅される。これによって、ユーザーは自身が操作したディスプレイボタンが何かを視覚的に容易に認知できる。
【００４１】
図７Ａ及び図７Ｂを利用して、本発明による端末機２１０を説明すれば、次の通りである。
【００４２】
図７Ａ及び図７Ｂに示したように、端末機２１０は撮影機能を実行中である。さらに具体的には、メイン表示部２２０は、端末機２１０に備えられたカメラを通じて見られる端末機２１０外部の映像をディスプレイし、ユーザーが端末機２１０に備えられたボタン（例えば、‘確認’ボタン）を操作すれば、端末機２１０は、その操作された瞬間にメイン表示部２２０にディスプレイされた映像を撮影する。
【００４３】
図７Ａに示したように、ディスプレイボタン２３０は、撮影モードを新たに設定しようとするユーザーが操作するボタンであり、ディスプレイボタン２３２は、解像度を新たに設定しようとするユーザーが操作するボタンであり、ディスプレイボタン２３４は、測光方式を新たに設定しようとするユーザーが操作するボタンであり、ディスプレイボタン２３８は、撮影された映像が古ぼけた写真のように見える効果、いわゆるセピア効果を与えようとするユーザーが操作するボタンであり、ディスプレイボタン２４０は、メイン表示部２２０にディスプレイされた各種アイコンが隠されてディスプレイさせまいとするユーザーが操作するボタンであり、ディスプレイボタン２４２は、撮影された映像を額縁イメージで取り囲もうとするユーザーが操作するボタンであり、ディスプレイボタン２４６は、フラッシュをつけようとするユーザーが操作するボタンであり、ディスプレイボタン２４８は、セルフタイマー時間を調整しようとするユーザーが操作するボタンである。
【００４４】
図７Ａに示したように、ディスプレイボタン２３０、２３２、２３４、２３８、２４０、２４２、２４６、２４８は、あらかじめ設定されたポップアップ映像のうち一つが含まれた映像をディスプレイする。ここで、ポップアップ映像とは、ディスプレイボタン（２３０ないし２５２のうち一つ）がディスプレイできる映像のうち、端末機２１０のいずれかの特定機能（例えば、端末機２１０の撮影モードを設定する機能）とマッチングされた映像を意味する。この時、その特定機能とマッチングされた映像、すなわち、ポップアップ映像の数は複数であることが望ましい。図７Ａ及び図７Ｂに示したように、あらかじめ設定されたポップアップ映像は“一般撮影”、“連続撮影”、“分割撮影”、“動画撮影”である。この時、“一般撮影”とは、デフォルトに設定された撮影モードを意味し、“連続撮影”とは、同じ被写体を一定回数ほど連続的に撮影する撮影モードを意味し、“分割撮影”とは、被写体を変更して一定回数ほど撮影する撮影モードを意味し、“動画撮影”とは、写真のような静止画像ではない動画を撮影する撮影モードを意味する。
【００４５】
図７Ａに示したように、ユーザーがディスプレイボタン２３０を操作して、ディスプレイボタン２３０、２３２、２３４、２３８、２４０、２４２、２４６、２４８にディスプレイされた映像のうちポップアップ映像が選択されれば、ディスプレイボタン２３０、２３２、２３４、２３８、２４０、２４２、２４６、２４８のうち少なくとも一部（例えば、２３０、２３２、２３８、２４６）は、あらかじめ設定されたポップアップ映像を図７Ｂに示したようにディスプレイする。この場合、ポップアップ映像をディスプレイしないディスプレイボタン２３４、２４０、２４２、２４８は、図７Ａでディスプレイされた映像を、図７Ｂに示したように一定比率ほど薄暗くディスプレイできる。結局、図７Ｂに示したように、ユーザーがディスプレイボタン２３０、２３２、２３８、２４６のうち一つを操作しさえすれば、端末機２１０の撮影モードが、その操作されたディスプレイボタンが意味する撮影モードに設定されるので、図７Ａ及び図７Ｂに示したように、ユーザーは、端末機２１０の撮影モードを設定するためのキー操作回数を最小にすることができる。
【００４６】
図８を利用して本発明による端末機２１０を説明すれば、次の通りである。
【００４７】
図８に示したように、端末機２１０は、写真閲覧機能を実行中である。端末機２１０には、ディスプレイボタン２３０ないし２５２の数より多い複数の写真が保存されており、ユーザーは、ディスプレイボタン２３６または２５２を操作してその複数の写真をスクロールできる。すなわち、ディスプレイボタン２３６または２５２が操作されれば、ディスプレイボタン２３０、２３２、２３４、２３８、２４０、２４２、２４６、２４８、２５０にディスプレイされる映像が更新されて、端末機２１０がスクロールを行う。ディスプレイボタン２３６または２５２にディスプレイされた映像のように、選択される場合に端末機２１０がスクロールを行う映像を、以下でスクロール映像と称する。
【００４８】
図８に示したように、ディスプレイボタン２４４は、ディスプレイボタン２３０、２３２、２３４、２３８、２４０、２４２、２４６、２４８、２５０にディスプレイされる映像であって、スクロール映像が選択される度に更新される映像の数を意味するページ映像をディスプレイする。具体的には、図８に示したように、端末機２１０に保存された写真の数は２７枚であり、ユーザーがディスプレイボタン２３６または２５２を操作する度にディスプレイボタン２３０、２３２、２３４、２３８、２４０、２４２、２４６、２４８、２５０にディスプレイされた映像はいずれも変更される。また、ユーザーがディスプレイボタン２３６または２５２を操作する度にディスプレイボタン２４４にディスプレイされたページ映像は、‘１／３’、‘２／３’、‘３／３’、‘１／３’、‘２／３’、…の順に変更される。すなわち、図８のディスプレイボタン２４４にディスプレイされた映像１／３は、ユーザーがディスプレイボタン２３６または２５２を操作する度に変更される。
【００４９】
図９を利用して、本発明による端末機２１０を説明すれば、次の通りである。
【００５０】
図９に示したように、ユーザーは端末機２１０に受信された文字メッセージを保存しようとする。この場合、メイン表示部２２０は、ユーザーの意思をもう１回確認するための映像を、図９に示したようにディスプレイし、ディスプレイボタン２３０、２３２、２４６、２４８は、メイン表示部２２０に現れた選択事項（“はい”、“いいえ”）を表現する映像（“はい○”、“いいえ×”）を、図９に示したようにディスプレイする。この時、ディスプレイボタン２３０、２３２、２４６または２４８にディスプレイされる選択事項（“はい”、“○”、“いいえ”、または“×”）は、メイン表示部２２０にディスプレイされる選択事項（“はい”、または“いいえ”）より大きくディスプレイされる。また、ディスプレイボタン２３０が操作される場合に端末機２１０が動作する結果と、ディスプレイボタン２３２が操作される場合に端末機２１０が動作する結果とは同一であり、ディスプレイボタン２４６が操作される場合に端末機２１０が動作する結果と、ディスプレイボタン２４８が操作される場合に端末機２１０が動作する結果とは同一である。
【００５１】
図９に示したように、メイン表示部２２０に“文字メッセージの保存如何を尋ねており、文字メッセージを保存しないことを表す選択項目（“いいえ”）がアクティブにされている映像”がディスプレイされれば、これを認知したユーザーが端末機に実行を指示すると予想される動作（文字メッセージを削除する動作、文字メッセージを保存する動作）を表す映像が、ディスプレイボタン２３０、２３２、２４６、２４８に自動でディスプレイされるので、メイン表示部２２０にディスプレイされた内容を認知した状態で文字メッセージを保存しようとするユーザーは、メイン表示部２２０とボタン２３０ないし２５２（複数の表示不可ボタン）とを交互に見ながら相当回数のボタン操作（例えば、メイン表示部２２０にディスプレイされた映像で“はい”がアクティブにされるように、前記方向キーの右ボタンを操作して“確認”ボタンを操作する計２回のボタン操作）を行う必要なく、ディスプレイボタン２３０、２３２、２４６、２４８のうち一定の動作（例えば、端末機２１０が文字メッセージを保存する動作）を表す映像（例えば、“はい”、または“○”）がディスプレイされたボタン２３０または２３２を操作さえすれば、端末機２１０にその一定の動作を指示できる。
【００５２】
図１０を利用して本発明による端末機２１０を説明すれば、次の通りである。
【００５３】
図１０に示したように、ユーザーは端末機２１０を利用して文字メッセージを作成している。この場合、ディスプレイボタン２３０、２３２、２３４、２３８、２４０、２４２、２４４、２４６、２４８、２５０は、図８に示したように、ハングルを入力するための映像をディスプレイできる。この時、ユーザーがディスプレイボタン２３６を操作すれば、ディスプレイボタン２３０、２３２、２３４、２３８、２４０、２４２、２４４、２４６、２４８、２５０は、図８に示したところとは異なって英文を入力するための映像をディスプレイできる。
【００５４】
図１０に示したように、ユーザーがディスプレイボタン２３０、２３２、２３４、２３８、２４０、２４２、２４４、２４６、２４８、２５０を操作すれば、その操作された結果はメイン表示部２２０だけではなく、ディスプレイボタン２５２にもディスプレイされる。これにより、ユーザーはディスプレイボタン２３０、２３２、２３４、２３８、２４０、２４２、２４４、２４６、２４８、２５０を操作しつつ自分が操作したボタンが何かを確認するために、メイン表示部２２０を随時交互に見る面倒なしに、ディスプレイボタン２３０、２３２、２３４、２３８、２４０、２４２、２４４、２４６、２４８、２５０を操作しつつディスプレイボタン２５２を交互に見るだけで十分であり、したがって、本発明は、ボタン操作時に求められる視線の移動距離を最小化し、ユーザーに対して操作便宜性を図る。
【００５５】
図１１は、本発明によるディスプレイ方法を説明するためのフローチャートであり、実行可能な機能の多い小型の端末機であっても、その端末機に一定の動作の実行を指示するためにボタンを操作するユーザーに対して操作便宜性を極大化させるステップ（第１１１０〜１１２０ステップ）を含むことができる。
【００５６】
制御部１２０は、複数のボタンのうち少なくとも一部の操作された結果を認識する（第１１１０ステップ）。
【００５７】
第１１１０ステップ後に、複数のボタン１１０は、第１１１０ステップで認識された結果に相応する複数の映像それぞれを、その映像ごとそれぞれにあらかじめ設定された技法によってそのボタンそれぞれにディスプレイする（第１１２０ステップ）。
【００５８】
上述の本発明によるディスプレイ方法をコンピュータで実行させるためのプログラムは、コンピュータ読み取り可能な記録媒体に保存されうる。ここで、コンピュータ読み取り可能な記録媒体は、磁気記録媒体（例えば、ＲＯＭ、フロッピー（登録商標）ディスク、ハードディスクなど）、及び光学式記録媒体（例えば、ＣＤ−ＲＯＭ、ＤＶＤ（Digital Versatile Disc））のような記録媒体を含む。
【００５９】
以上、望ましい実施形態を中心に本発明を説明した。当業者ならば、本発明が本発明の本質的な特性から逸脱しない範囲で変形された形態で具現できることは理解できるであろう。したがって、開示された実施形態は限定的な観点ではなく説明的な観点で考慮されねばならない。本発明の範囲は、上述した説明ではなく添付の特許請求の範囲に表わされており、それと同等な範囲内にあるあらゆる差異点は本発明に含まれていると解釈されねばならない。
【符号の説明】
【００６０】
１１０  ボタン
１１０−１、１１０−ｎ、…、１１０−Ｎ  ディスプレイボタン
１２０  制御部
１３０  保存部
２１０  端末機
２２０  メイン表示部
【図１】
2010506288.tif 000003
【図２】
2010506288.tif 000004
【図３】
2010506288.tif 000005
【図４】
2010506288.tif 000006
【図５】
2010506288.tif 000007
【図６Ａ】
2010506288.tif 000008
【図６Ｂ】
2010506288.tif 000009
【図７Ａ】
2010506288.tif 000010
【図７Ｂ】
2010506288.tif 000011
【図８】
2010506288.tif 000012
【図９】
2010506288.tif 000013
【図１０】
2010506288.tif 000014
【図１１】
2010506288.tif 000015
【国際調査報告】
2010506288.tif 000016
2010506288.tif 000017